(57)【特許請求の範囲】
【請求項１】
像担持体と、
該像担持体上にトナー像を形成する像形成手段と、
搬送路を搬送される転写紙上に前記トナー像を転写する転写手段と、
前記像担持体から転写紙を分離するための分離手段と、
転写紙上に転写されたトナー像を転写紙に定着するための定着手段と、
前記搬送路に設けられ、前記転写、分離手段と前記定着手段との間で転写紙の紙詰まりが発生したことを検知する通紙検知手段と、
転写紙の紙詰まりが発生したことを前記通紙検知手段が検知したときは、次以降の画像形成動作において画像形成条件を変更し、その後、通紙中の給紙トレイ内の転写紙が空になったことの検知時、又は前記定着手段の温度が所定値以下に低下したことの検知時に、前記変更を解除する制御手段と、
を有することを特徴とする画像形成装置。
【請求項２】
前記画像形成条件の変更は、転写又は分離電流値の変更であることを特徴とする請求項１に記載の画像形成装置。
【請求項３】
前記画像形成装置は、前記像担持体に圧着及び圧着解除を行って、転写紙の前記像担持体からの分離補助を行う分離補助部材を有し、
前記制御手段は、前記画像形成条件の変更として前記分離補助部材の動作条件を変更することを特徴とする請求項２に記載の画像形成装置。
【請求項４】
前記画像形成装置は、表面トナー像の定着を終えた転写紙を反転搬送路を通って搬送し、転写紙の裏面に画像形成を行う両面画像形成を行う両面画像形成手段を有し、
前記制御手段は、前記画像形成条件の変更として前記定着手段の定着条件を変更すること
を特徴とする請求項１に記載の画像形成装置。
【請求項５】
前記画像形成装置は、転写紙のカールを矯正するデカール手段を有し、
前記制御手段は、前記画像形成条件の変更として前記デカール手段のデカール条件を変更することを特徴とする請求項４に記載の画像形成装置。
【発明の詳細な説明】
【技術分野】
【０００１】
本発明は、複写機、プリンタ等の電子写真方式を用いた画像形成装置に係わり、特に搬送され移動する転写紙上にトナー像を転写し、転写紙上のトナー像を定着手段によって定着し排出するようにした画像形成装置に関する。
【背景技術】
【０００２】
複写機等の画像形成装置では、一様帯電がなされて回転する像担持体上に画像読取手段によって読取った画像情報に基づいて像露光を行い、静電潜像を形成し、１成分又は２成分現像剤を用いた現像手段によって現像を行い、静電潜像部分にトナーが付着してトナー像を形成する。像担持体上のトナー像は給紙トレイから排出・搬送され、同期して搬送される転写紙上に転写手段によって転写がなされる。転写されたトナー像を保持した転写紙は、分離手段によって像担持体から分離搬送され、定着手段によって定着がなされたのち機外に排出される。
【０００３】
また、両面画像形成時には、片面に画像の定着がなされた転写紙は反転搬送路を通って再度転写位置へと搬送され、転写紙裏面にトナー像の転写がなされた後、分離手段によって像担持体から分離搬送され、定着手段によって裏面トナー像の定着がなされたのち機外に排出される。
【０００４】
転写紙は、転写紙搬送路を搬送される過程において搬送路から外れ、紙詰まり（ジャム）を発生することがある。画像形成装置ではジャムが発生したと検知したときは、装置は直ちに動作を停止し、人手によって発生したジャム紙を取り除くことによって、再度画像形成を可能としている。
【０００５】
転写紙は給紙トレイ内に積層されていて１枚宛排出されるが、画像形成装置の設置場所や環境条件によっては転写紙は吸湿し、吸湿した転写紙は弾性が低下してコシが弱くなり、像担持体である感光体ドラムからの分離性が低下しジャムが発生する。
【０００６】
また、後に説明する実施例で示すような、感光体ドラムから分離した転写紙の搬送路が水平搬送の場合には、搬送経路の上側に沿うようにして分離搬送がなされるので、定着手段への挿入部で転写紙は定着手段のニップ部へと進入できず、ジャムが発生する。
【０００７】
また、転写紙表面の定着を終えて反転搬送路を転写紙が通紙する両面画像形成時には、定着手段を通過した転写紙は、定着手段を通紙する際生じるカールが大きいため、裏面トナー像転写後の搬送経路の途中で近傍の部材にぶつかりジャムを発生する。
【０００８】
ジャムが発生したときの対応については種々提示されている。特許文献１には、画像形成中にジャムが発生した場合、転写紙上には未定着トナーが付着しているので、未定着トナーによって人手や機内が汚染されるのを防止するのに、回転ノブを回転することで、未定着トナーのついた転写紙を定着し、機外に排出するようにした技術が開示されている。
【０００９】
近年は転写紙として、普通紙以外に印刷用コート紙や再生紙等多種の用紙が用いられるようになった。紙種や紙厚等によって物性が異なることから、画像形成条件を変更してこれに対応することもなされている。しかし、対応が不適切や不充分であったりするときはジャムが発生する。
【００１０】
例えば、特許文献２には、転写材の種類や環境に応じて適正な転写分離手段の除電電流を転写材に付与することによって、ジャムの発生を防止する技術が開示されている。
【特許文献１】特開平６−１８６８１０号公報
【特許文献２】特開平７−２６１５６４号公報
【発明の開示】
【発明が解決しようとする課題】
【００１１】
ジャムが発生したときには、紙詰まりした転写紙を人手によって除去し再びスタート釦を押釦することによって継続して画像形成が行われる。しかし、前記のように転写紙が吸湿状態にあるときは、ジャム紙を取り除いて再度画像形成を行っても繰り返し同様のジャムが発生することが多い。
【００１２】
また、転写紙の紙質に適応した条件で画像形成が行われていないときも、同様、繰り返しジャムが発生することとなる。
【００１３】
両面画像形成の場合にも、転写紙が１回目の定着手段を通過する際生じる転写紙のカールが十分除去されていないときは、１回のジャムに止まらず繰り返してジャムが発生することとなる。
【００１４】
本発明は、ジャムが発生して紙詰まりした転写紙を取り除いて再度画像形成を行うとき、繰り返して同様のジャムが発生することがないように自動的に対応処理を行う画像形成装置を提供することを目的とする。
【課題を解決するための手段】
【００１５】
前記の課題を解決し、かつ目的を達成するために、本発明は以下のように構成されている。
像担持体と、
該像担持体上にトナー像を形成する像形成手段と、
搬送路を搬送される転写紙上に前記トナー像を転写する転写手段と、
前記像担持体から転写紙を分離するための分離手段と、
転写紙上に転写されたトナー像を転写紙に定着するための定着手段と、
前記搬送路に設けられ、前記転写、分離手段と前記定着手段との間で転写紙の紙詰まりが発生したことを検知する通紙検知手段と、
転写紙の紙詰まりが発生したことを前記通紙検知手段が検知したときは、次以降の画像形成動作において画像形成条件を変更し、その後、通紙中の給紙トレイ内の転写紙が空になったことの検知時、又は前記定着手段の温度が所定値以下に低下したことの検知時に、前記変更を解除する制御手段と、
を有することを特徴とする画像形成装置。
【発明の効果】
【００１６】
本発明によれば、紙詰まり（ジャム）が発生したとき、ジャムの発生原因となったであろうと推定される画像形成条件をジャムが発生しにくい方向に自動的に変更するよう制御することによって、再度同様のジャムは発生しにくい状態となって画像形成がなされることとなる。
【発明を実施するための最良の形態】
【００１７】
以下、本願発明の実施の形態を説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００１８】
（１）  本発明にかかわる画像形成装置について、図１及び要部を示す図２にて以下に述べる。
【００１９】
本発明にかかわる画像形成装置は、画像処理後の画像データに従ってドラム状の像担持体としての感光体１１上に像露光を行うレーザ光学系からなる像露光手段としての露光装置１３と、感光体１１及びその周囲に、帯電手段としての帯電極１２、現像剤担持体を有する磁気ブラシ型現像装置からなる現像手段としての現像器１４、転写手段としての転写極１５、分離手段としての分離極１６、クリーニング手段としてのクリーニングユニット１７と等の画像形成手段と、転写紙上（記録紙Ｐ上）のトナー像を定着する定着装置１８とを有している。
【００２０】
不図示の画像読取装置により読み取られ、メモリに格納されている画像データが画像形成に応じて呼び出され、当該画像データに従って、例えば出力が４９０μＷ程度で半導体レーザからなるレーザ光学系を用いる露光装置１３により、外径が８０ｍｍで負帯電ＯＰＣからなる感光体１１上に像露光が行われる。
【００２１】
当該像露光に先立ち、矢印で示す時計方向にプロセル線速（線速度）３５７ｍｍ／ｓで回転される感光体１１は、スコロトロン方式で帯電電圧が−７５０Ｖ程度の帯電極１１のコロナ放電作用により所定の表面電位を付与されているが、像露光による潜像部位の電位が露光量に応じて減じ、結果として、画像データに応じた静電潜像が感光体１１条に形成される。
【００２２】
静電潜像は、接触式現像で負帯電トナーを用い、現像バイアスが−６００Ｖ（表面標準出力）程度で印加される現像器１４に設けられ、マグネット固定でスリーブ外径が４０ｍｍ程度の現像剤担持体としての現像ローラ１４ａにより、帯電極性と同極性（本実施形態においては現像に使用されるトナー極性をマイナス極性とし、帯電極性をマイナス極性とする）のトナーを用いて反転現像され、可視化されたトナー像とされる。
【００２３】
一方、感光体１１上のトナー像の先端部が転写極１５の転写領域に到達する前に、給紙トレイ２１Ａ、２１Ｂ内の何れかから転写材としての記録紙Ｐが、送り出しローラ２２により搬送路２３を通って給送されてレジストローラ２４に到達し、先端規制される。
【００２４】
記録紙Ｐは、トナー像、即ち感光体１１上の画像領域と重畳するように、同期を取って回転を開始するレジストローラ２４により、給紙ガイド板を通して転写手段である転写極１５の転写領域に向けて搬送される。
【００２５】
転写領域において、感光体１１上のトナー像は、コロトロン方式で正放電の転写電圧が印加される転写極１５と、コロトロン方式で負放電の直流電圧にＡＣ電圧が重畳された分離電圧が印加される分離極１６の転写コロナ放電により記録紙Ｐ上への転写が行われ、当該記録紙Ｐは分離極１６の分離コロナ放電による除電により感光体１１から分離される。転写と同時にＬＥＤ露光による分離補助手段１６ａを設けてもよい。
【００２６】
トナー像が転写された記録紙Ｐは、搬送部２５を通してヒートローラー方式で熱源が誘導加熱或いはハロゲンランプからなる定着装置１８に至り、定着装置１８の加熱ローラ１８ａと加圧ローラ１８ｂとの間で形成される定着ニップ部Ｎで加圧と加熱とにより、トナー像を形成するトナーが記録紙Ｐ上に定着され、排出路２７に設けた排出ローラ２８によって当該記録紙Ｐは、装置外部に排紙される。
【００２７】
また、両面画像形成時には、表面画像を有した記録紙Ｐは、搬送路切り替え部材２６によって反転搬送路３１へと導かれ、搬送路３２によって反転された後、搬送路３３を経てレジストローラ２４へと導かれる。新たに感光体１１上に形成された裏面のトナー像は、転写領域において反転した記録紙Ｐの裏面への転写が行われ、分離極１６によって感光体１１から分離される。分離した記録紙Ｐは、搬送部２５を通して搬送され、定着装置１８によって裏面画像の定着がなされたのち、排出ローラ２８によって装置外部に排紙される。
【００２８】
転写後の感光体１１の周面上に残った転写残トナーは、クリーニングブレード等を備えるクリーニングユニット１７によってクリーニングされ、次の画像形成に備えることとなる。
【００２９】
なお、本実施形態の画像形成装置にあっては、更に次のような構成となっている。
【００３０】
感光体１１周面の分離極１６と、その下流に位置したクリーニングユニット１７との間には、感光体周面に対して接離を可能とし、感光体周面に付着して移動する転写紙の剥離を行う例えばテフロン（登録商標）コートした樹脂部材から成る分離爪４１ａを備えた分離補助部材４１が設けられている。
【００３１】
また、反転搬送路３１には、定着装置１８を通過する際生じた転写紙のカールを矯正するデカール部材４２が設けられている。デカール部材４２はハードローラ４２ａとソフトローラ４２ｂとより成り、実施例としてハードローラ４２ａにはφ８ｍｍのＳＵＳ棒、ソフトローラ４２ｂにはφ２０ｍｍのシリコン発泡ローラが用いられ、押圧状態にあるデカール部材の間を転写紙が通過することによってカールの矯正が行われる。
【００３２】
転写紙の搬送路には、センサが設けられていて、転写紙の搬送制御やジャム検知に用いられる。
【００３３】
センサＰＳ１はレジストローラ２４の直前位置に設けられて、給紙トレイ２１から排出した転写紙がレジストローラ２４に到達したのを検知し、感光体１１上のトナー像と搬送される記録紙が同期するのに用いられる。また、センサＰＳ２は定着を終えて排出する転写紙の検知を行うもので、レジストローラ２４によって搬送される転写紙が、所定時間内にセンサＰＳ２によって転写紙先頭が通過するのを検知しないときは、転写から定着までの間にジャムが生じたことを検知する。また、分離補助部材４１の近傍に設けられたセンサＰＳ３は、転写紙が感光体１１に巻き付くジャム事故をおこしたとき、これを検知する。
【００３４】
（２）  図３には電気制御系の概要を示している。１１０は演算制御処理を行うＣＰＵで、ＲＡＭ１１１、ＲＯＭ１１２が接続されている。
【００３５】
ＲＯＭ１１２には、演算基礎データをはじめ、両面画像形成プログラム、片面画像形成プログラムを記憶し、また本発明によるジャム発生時にその発生状況によって自動的に変更を行う定着条件変更プログラム、デカール条件変更プログラム、転分条件変更プログラムや分離補助部材動作変更プログラムと共にジャム対策復帰プログラムが記憶されている。
【００３６】
ＣＰＵ１１０はインターフェース１２０を介して外部機器に接続されている。
【００３７】
インターフェース１２０の入力側には、ジャム検知を行うセンサＰＳ２、分離ジャムを検知するセンサＰＳ３や定着手段１８の温度センサＴＳ等センサ類が接続されている。出力側には、画像形成手段（１１〜１７、４１）、給紙搬送手段（２１〜３３）、定着手段１８やデカール手段４２の駆動部や電源が接続されている。
【００３８】
図１に示した画像形成装置には、操作・表示部１３０が設けられていて、操作・表示部１３０にはプリント動作の開始を指示するスタート釦１３１や、両面／片面プリント選択釦１３２をはじめ、転写紙サイズを選択するサイズ選択釦やプリント枚数を指示するテンキーの他、画像濃度選択釦等が設けられている。
【００３９】
ユーザが操作・表示部１３０の両面／片面プリント選択釦１３２で両面又は片面プリントモードの何れかを選択すると、ＣＰＵ１１０はＲＯＭ１１２に記憶された両面画像形成プログラム又は片面画像形成プログラムを呼び出し、呼び出したプログラムに従い、画像メモリ１１５に記録された画像情報を呼び出して画像形成を行う。
【００４０】
（３）本発明者らは本発明に先だって次のテストを行っている。
【００４１】
画像形成に当たって、画像濃度を高く維持し良好な画像とするために、転写電流を強く設定して転写率を上げる手段をとることが通常なされている。しかし、転写電流が強いと転写材の感光体への付着力が強くなり分離が不利になるため、分離電流も同時に強くする必要がある。
【００４２】
このような転写及び分離電流値設定で概ね問題になることは少ないが、吸湿した転写材や、先端にカールのついた転写材や、異なった紙種の転写材が通紙した場合に、感光体と転写材の分離が十分にできず、分離爪や分離爪を支持する分離補助部材に転写紙の先端がぶつかり、ジャムが発生してしまう。また、分離電流も強く設定するため、分離電流の過剰が原因となる画像不良（画像はじき）が発生する場合もある。
【００４３】
感光体からの転写材分離に有利な電流値設定とは、転写電流を弱くし感光体への転写材の付着力を弱める方向に設定することである。このことを確認するために、下記の通紙実験を行っている。
・通紙実験１
吸湿した転写材を（ａ）〜（ｃ）の転写・分離電流値設定のもとで、両面通紙するテストを行っている。
（ａ）  画像濃度が十分確保できるよう転写電流を十分にかけた設定（本実施例では転写電流＋８０μＡ、分離電流−９０μＡ）
（ｂ）  先の（ａ）の設定から転写電流を１０μＡ低くした設定（本実施例では転写電流＋７０μＡ、分離電流−９０μＡ）
（ｃ）  先の（ａ）の設定から転写電流を２０μＡ低く、分離電流を１０μＡ低くした設定（本実施例では転写電流＋６０μＡ、分離電流−８０μＡ）
通紙結果は下記の通り評価された。
（ａ）  裏面通紙時に分離補助部材にカールした転写紙の先端がぶつかり、定着入り口まで到達することができないで、ジャムが発生することが認められた。
（ｂ）  ジャム発生はなかったが、画像はじきが発生するのが認められた。
（ｃ）  ジャムの発生もなく、良好な画像が得られた。
・通紙実験２
開封直後の吸湿していない転写紙を上記（ａ）〜（ｃ）の転写・分離電流値設定のもとで、両面通紙するテストを行っている。
（ａ）  転写紙の挙動も安定し問題はなかった。
（ｂ）  上記（ａ）と同様、転写紙の挙動も安定し問題はなかった。
（ｃ）  画像濃度が僅かに低下していることが認められたが、通紙上は問題なかった。
【００４４】
上記の通紙実験１、２から、転写材の状態によっては適正とする転写・分離電流値が変わっていくことが判明した。
・カールの発生条件テスト
転写材は加熱ローラと加圧ローラとより成る定着手段の押圧状態にあるニップ部を通過することによりカールが発生する。この転写材のカールは反転搬送路に設けた押圧状態にあるハードローラとソフトローラとより成るデカール部材４２を通過することにより矯正される。
【００４５】
テストは、吸湿状態にある転写材が定着手段とデカール部材とを通過直後のカール量を、定着温度とデカール部材の軸間間隔を変えて測定した。なおカール量は、平板上に排出された転写材の端面の高さを測定し、平均値をもって表示している。
【００４６】
【表１】
0004665627.tif 000002
【００４７】
上記のテストから、定着温度を下げることにより、発生するカール量は低減することが確認された。また、デカール部材の軸間距離を狭くし、ニップ幅を広げることにより矯正後のカール量が低減されることも確認された。
【００４８】
（４）  本発明は、転写紙が画像形成時に転写〜定着間でジャム事故が発生したことを検知したときは、その後の画像形成に当たって再度同様のジャム事故が発生することのないよう、画像形成条件の変更を行う。変更を行う具体的な画像形成条件は、前記のテスト結果等に基づいて行われる。
【００４９】
図４は、本発明によるジャム発生時に行われる画像形成装置の制御フローチャートを示している。
【００５０】
ＣＰＵ１１０は、画像形成中は絶えず転写紙の給紙搬送路に設けたセンサからの入力により、紙詰まり（ジャム）が発生したか否かのチェックを行っていて（Ｓ１）、ジャムが発生したと検知したときは、発生したジャム事故はセンサＰＳ２からの入力に基づく転写〜定着間で生じた分離ジャムであるか否かのチェックを行う（Ｓ２）。
【００５１】
ＣＰＵ１１０は、ジャム事故がセンサＰＳ２以外のセンサからの入力によって検知したときは、紙詰まり箇所を求めてこれに対する対応が可能の場合は対応を行う（Ｓ３Ａ）。ジャム事故がセンサＰＳ２から所定時間内に通紙を検知しなかったとの入力に基づく分離〜定着間でのジャムのときは、ジャム事故が裏面通紙時に発生したか否かのチェックを行う（Ｓ３）。
【００５２】
表面通紙時にジャム事故が発生したときには、ＣＰＵ１１０はＲＯＭ１１２に記憶された転分条件変更プログラムを呼び出して転写条件及び分離条件の変更を行う。実施例としては通常＋８０μＡの転写電流を転写時に印加していたのを、ジャム事故以後には＋７０μＡの転写電流に変更し、分離条件についても−９０μＡの分離電流を−８０μＡの分離電流に変更する（Ｓ４Ａ）。
【００５３】
ＣＰＵ１１０は、転分条件変更（Ｓ４Ａ）と共に、ＲＯＭ１１２に記憶された分離補助部材動作変更プログラムを呼び出して分離補助部材動作条件の変更を行う（Ｓ５Ａ）。実施例としては通常分離爪４１ａの感光体１１への当接は、転写紙先端が分離爪４１ａの先端位置に到達する予定位置より１５ｍｍ早い位置で当接を開始し、５５ｍｍの間当接を継続するよう制御を行っていたのを、当接開始位置には変更なく、当接範囲を９０ｍｍに延長する変更を、具体的には線速３５７ｍｍ／ｓによって除算した接離動作の時間制御の変更を行っている。
【００５４】
上記のステップ（Ｓ４Ａ）、（Ｓ５Ａ）の変更は、表面通紙時にジャム事故が発生した場合に限定されないで、裏面通紙時にジャム事故が発生した場合にも実行される。
【００５５】
ステップ（Ｓ４Ａ）、（Ｓ５Ａ）によって行った変更は、ジャム発生時から長時間経過して環境条件が変化した場合、又は使用していた転写紙を収納する給紙トレイ２１が空になって、異なった状況下にある転写紙に変更された場合には、ステップ（Ｓ４Ａ）、（Ｓ５Ａ）による変更を解消して初期に設定された画像形成条件に復帰する。
【００５６】
即ち、ステップ（Ｓ５Ａ）によって分離補助部材４１の動作条件変更を行ったのち、ＣＰＵ１１０はＲＯＭ１１２に記憶されたジャム対策復帰プログラムを呼び出し、トレイエンプティ検知したか否かのチェック（Ｓ６Ａ）、例えば給紙トレイ２１の近傍に設けたトレイエンプティセンサ（図示せず）によるチェック、及び定着温度が所定温度低下まで低下したかを検知するチェック（Ｓ７Ａ）、例えば温度センサＴＳによる検知温度が５０℃以下にまで低下したか否かのチェックを行い、何れもＮＯの場合には何れかがＹＥＳの状態になるまで先に変更した画像形成条件を維持する。
【００５７】
ステップ（Ｓ６Ａ）又はステップ（Ｓ７Ａ）でＹＥＳの場合は、ＣＰＵ１１０は転分条件復帰を行い（Ｓ８Ａ）、実施例では転写電流を＋８０μＡに、分離電流を−９０μＡに復帰するよう制御を行う。また併せて分離補助部材４１の動作条件の復帰を行い（Ｓ９Ａ）、実施例では分離爪４１ａの当接範囲を５５ｍｍとなる復帰を行うよう制御を行う。
【００５８】
ステップ（Ｓ３）において、裏面通紙時にジャム事故が発生したときは、ＣＰＵ１１０はＲＯＭ１１２に記憶された定着条件変更プログラムを呼び出して定着時に設定する定着温度の変更を行う（Ｓ４Ｂ）。実施例では１９５℃に設定されていた定着温度をジャム事故後は１８５℃に変更する。
【００５９】
ＣＰＵ１１０は、定着条件変更（Ｓ４Ｂ）と共に、ＲＯＭ１１２に記憶されたデカール条件変更プログラムを呼び出して、デカール部材４２の軸間間隔を狭くする変更を行う（Ｓ５Ｂ）。実施例ではニップ幅２．１ｍｍの押圧状態にあったデカール部材４２を、ジャム事故後にはニップ幅は２．６ｍｍとなるよう軸間間隔の変更を行う。
【００６０】
ステップ（Ｓ４Ｂ）、（Ｓ５Ｂ）によって行った変更は、ジャム発生時から長時間経過して環境条件が変化した場合、又は使用していた転写紙を収納する給紙トレイ２１が空になって、異なった状況下にある転写紙に変更された場合には、ステップ（Ｓ４Ｂ）、（Ｓ５Ｂ）による変更を解消して初期に設定された画像形成条件に復帰する。
【００６１】
即ち、ＣＰＵ１１０はＲＯＭ１１２に記憶されたジャム対策復帰プログラムを呼び出し、トレイエンプティ検知したか（Ｓ６Ｂ）、定着温度低下検知したか（Ｓ７Ｂ）のチェックを行う。
【００６２】
その何れかにおいてＹＥＳのときは、ＣＰＵ１１０は定着条件の復帰を行い（Ｓ８Ｂ）、定着温度の設定温度を１９５℃に復帰する制御を行い、デカール条件復帰を行い（Ｓ９Ｂ）、ニップ幅を２．１ｍｍとする変更を行って、ジャム事故発生前の画像形成条件への条件復帰を行う。
【００６３】
なお、上記説明においては、ジャム事故発生後画像形成条件を変更することについて説明したが、ジャム事故後に画像形成条件の変更を行っても更に同一部所にジャム事故が発生したときは、更に先に行った画像形成条件の変更を強調して再度実施することも行われる。
【００６４】
上記の実施例で説明した本発明は次の効果を有している。
【００６５】
ジャム事故が発生したとき画像形成時の転写及び分離電流値を画質に影響のない程度に電流値を低減する方向に変更することによって、像担持体への転写紙の巻き付き事故や、定着手段直前での紙詰まりによるジャム事故の再発を防止することができる。
【００６６】
ジャム事故が発生したとき画像形成時の分離補助部材（分離爪）の像担持体への圧着条件を変更することによって、像担持体は圧着条件変更による損傷等の影響をほとんど受けることなく、像担持体への転写紙の巻き付きによるジャム事故の再発を防止することができる。
【００６７】
ジャム発生時に対処した転写及び分離電流値の変更や分離補助部材の動作条件の変更は、環境状態に基づく転写紙の吸湿や転写紙の紙質等が原因となったジャム事故の再発を防止する目的のもとに行ったものであるから、通紙中の給紙トレイが交換される時点、又は長時間の休止時間を経て定着手段の温度が低下した時点で、前記の変更を自動的に解除することによって、最良として最初に設定された画像形成条件でその後の画像形成がなされることとなる。
【００６８】
裏面画像を保持した転写紙にジャムが発生したとき、定着条件を自動的に変更することによって、定着時に生じた転写紙のカール量を減らして、像担持体への転写紙の巻き付き事故や、定着手段直前での紙詰まりによるジャム事故の再発を防止することができる。
【００６９】
裏面画像を保持した転写紙にジャムが発生したとき、デカール手段のデカール条件（例えば、押圧力、ニップ幅、軸間間隔等）を変更することで転写紙の定着時に生じたカール量を減らして、像担持体への転写紙の巻き付き事故や、定着手段直前での紙詰まりによるジャム事故の再発を防止することができる。
【００７０】
ジャム発生時に対処した定着条件の変更やデカール条件の変更は、環境や転写紙の紙質等が原因となって発生したジャムの再発を防止する目的のもとに行ったものであるから、通紙中の給紙トレイが交換された時点、又は長時間経過して定着手段の温度が低下した時点で、前記の変更を自動的に解除することによって、最良として設定された画像形成条件で、その後の両面画像形成が行われることとなる。
【図面の簡単な説明】
【００７１】
【図１】画像形成装置の構成図。
【図２】画像形成装置の要部を示す構成図。
【図３】電気制御系の概要を示すブロック図。
【図４】画像形成時に行われるフローチャート。
【符号の説明】
【００７２】
１１  感光体
１５  転写極
１６  分離極
１８  定着装置、定着手段
２１  給紙トレイ
２３  搬送路
２４  レジストローラ
４１  分離補助部材
４１ａ  分離爪
４２  デカール部材
【図１】
0004665627.tif 000003
【図２】
0004665627.tif 000004
【図３】
0004665627.tif 000005
【図４】
0004665627.tif 000006